(57)【特許請求の範囲】
【請求項１】
印刷済の記録媒体に後処理を施す後処理装置に接続される画像形成装置において、
設定された印刷ジョブに対してテスト印刷を実行するテスト印刷実行手段と、
前記後処理が設定されている印刷ジョブに対して前記テスト印刷を実行する際に、前記テスト印刷による印刷済の記録媒体を前記後処理装置に搬送するか否か及び前記テスト印刷における印刷範囲を前記印刷ジョブの印刷対象を構成する全ページにするか指定ページにするかを設定する設定手段と、
前記設定手段により前記テスト印刷による印刷済の記録媒体を前記後処理装置に搬送しないことが設定されている場合は、前記テスト印刷による印刷済の記録媒体を前記後処理装置に搬送しないように制御し、前記設定手段により前記テスト印刷による印刷済の記録媒体を前記後処理装置に搬送することが設定されている場合は、前記テスト印刷による印刷済の記録媒体を前記後処理装置に搬送するように制御する制御手段と、
を備え、
前記テスト印刷による印刷済の記録媒体を前記後処理装置に搬送しないことの設定は、前記印刷範囲に関係なく設定される状態と、前記印刷範囲が全ページに設定されていないときに設定される状態とを含み、前記テスト印刷による印刷済の記録媒体を前記後処理装置へ搬送することの設定は、前記印刷範囲に関係なく設定される状態と、前記印刷範囲が全ページに設定されているときに設定される状態とを含むことを特徴とする画像形成装置。
【請求項２】
前記記録媒体の搬送方向において前記後処理装置よりも上流側に配置され、前記記録媒体が排出されるエスケープトレイと、
前記記録媒体を前記エスケープトレイへ搬送するか前記後処理装置へ搬送するかを切り替える切替手段と、をさらに備え、
前記制御手段は、前記テスト印刷による印刷済の記録媒体を前記エスケープトレイへ搬送するよう前記切り替え手段を制御することにより前記テスト印刷による印刷済の記録媒体を前記後処理装置に搬送しないように制御することを特徴とする請求項１に記載の画像形成装置。
【請求項３】
印刷済の記録媒体に後処理を施す後処理装置に接続される画像形成装置の制御方法であって、
設定された印刷ジョブに対してテスト印刷を実行するテスト印刷実行工程と、
前記後処理が設定されている印刷ジョブに対して前記テスト印刷を実行する際に、前記テスト印刷による印刷済の記録媒体を前記後処理装置に搬送するか否かを設定する設定工程と、
前記テスト印刷における印刷範囲を前記印刷ジョブの印刷対象を構成する全ページにするか指定ページにするかを設定する印刷範囲設定工程と、
前記設定工程により前記テスト印刷による印刷済の記録媒体を前記後処理装置に搬送しないことが設定されている場合は、前記テスト印刷による印刷済の記録媒体を前記後処理装置に搬送しないように制御し、前記設定工程により前記テスト印刷による印刷済の記録媒体を前記後処理装置に搬送することが設定されている場合は、前記テスト印刷による印刷済の記録媒体を前記後処理装置に搬送するように制御する制御工程と、
を有し、
前記テスト印刷による印刷済の記録媒体を前記後処理装置に搬送しないことの設定は、前記印刷範囲に関係なく設定される状態と、前記印刷範囲が全ページに設定されていないときに設定される状態とを含み、前記テスト印刷による印刷済の記録媒体を前記後処理装置へ搬送する設定は、前記印刷範囲に関係なく設定される状態と、前記印刷範囲が全ページに設定されているときに設定される状態とを含むことを特徴とする画像形成装置の制御方法。
【請求項４】
印刷済の記録媒体に後処理を施す後処理装置に接続され、前記後処理装置とは独立して制御される画像形成装置の制御方法をコンピュータに実行させるプログラムであって、
請求項３に記載の制御方法をコンピュータに実行させることを特徴とするプログラム。
【請求項５】
設定された印刷ジョブに従って記録媒体に印刷を行う画像形成手段と、
前記画像形成手段により印刷された記録媒体に後処理を施す後処理手段と、
前記記録媒体の搬送方向において前記後処理手段よりも上流側に配置され、前記記録媒体が排出されるエスケープトレイと、
前記記録媒体を前記エスケープトレイへ搬送するか前記後処理手段へ搬送するかを切り替える切替手段と、
を有する画像形成システムにおいて、
前記印刷ジョブに対して前記画像形成手段によりテスト印刷を実行するテスト印刷実行手段と、
前記後処理が設定されている印刷ジョブに対して前記テスト印刷を実行する際に、前記テスト印刷による印刷済の記録媒体を前記後処理手段に搬送するか否か及び前記テスト印刷における印刷範囲を前記印刷ジョブの印刷対象を構成する全ページにするか指定ページにするかを設定する設定手段と、
前記設定手段により前記テスト印刷による印刷済の記録媒体を前記後処理手段に搬送しないことが設定されている場合は、前記テスト印刷による印刷済の記録媒体を前記後処理装置に搬送しないように前記切替手段を制御し、前記設定手段により前記テスト印刷による印刷済の記録媒体を前記後処理手段に搬送することが設定されている場合は、前記テスト印刷による印刷済の記録媒体を前記後処理手段に搬送するように前記切替手段を制御する制御手段と、
を備え、
前記テスト印刷による印刷済の記録媒体を前記後処理装置に搬送しないことの設定は、前記印刷範囲に関係なく設定される状態と、前記印刷範囲が全ページに設定されていないときに設定される状態とを含み、前記テスト印刷による印刷済の記録媒体を前記後処理装置へ搬送することの設定は、前記印刷範囲に関係なく設定される状態と、前記印刷範囲が全ページに設定されているときに設定される状態とを含むことを特徴とする画像形成システム。
【発明の詳細な説明】
【技術分野】
【０００１】
本発明は、画像形成装置及びその制御方法、プログラム、及び画像形成システムに関する。
【背景技術】
【０００２】
従来より、画像形成装置にスタッカやフィニッシャ等の後処理オプション装置が接続された画像形成システムが知られている（例えば、特許文献１参照）。特許文献１の画像形成システムにおいて画像形成装置及び後処理オプション装置の制御はそれぞれ独立している。これに対応して、画像形成装置は、後処理オプション装置に対して最小限のコマンド、例えば、画像データが印刷された記録媒体を後処理オプション装置へ搬送する旨を送信するが、後処理オプション装置が実行する処理には関与しない。
【０００３】
ところで、画像形成装置は文書データ等を複数部数印刷するとき、複数部数の印刷の前にテスト印刷として１部の印刷を行うテスト印刷機能を有する。ユーザがテスト印刷の結果を迅速に確認したいときは後処理オプション装置がテスト印刷の印刷結果物に後処理、例えば、ステイプル処理を施す前にユーザが当該印刷結果物を確認する。
【先行技術文献】
【特許文献】
【０００４】
【特許文献１】米国特許出願公開第２０１４／０１９８３２９号明細書
【発明の概要】
【発明が解決しようとする課題】
【０００５】
しかしながら、画像形成装置が後処理オプション装置が実行する処理に関与しない画像形成システムにおいてテスト印刷が実行されると、テスト印刷の印刷結果物が後処理オプション装置に搬送され、後処理オプション装置がテスト印刷の印刷結果物に処理を施すまでユーザはテスト印刷の結果を確認することができないため、ユーザがテスト印刷の結果を迅速に確認することができないという問題があった。
【０００６】
本発明の目的は、テスト印刷による印刷済の記録媒体に対して、印刷ジョブで設定されている後処理を実行するか否かをユーザが容易に設定することができ、もって操作性を向上させることができる画像形成装置及びその制御方法、プログラム、及び画像形成システムを提供することにある。
【課題を解決するための手段】
【０００７】
上記目的を達成するために、本発明の画像形成装置は、印刷済の記録媒体に後処理を施す後処理装置に接続される画像形成装置において、設定された印刷ジョブに対してテスト印刷を実行するテスト印刷実行手段と、前記後処理が設定されている印刷ジョブに対して前記テスト印刷を実行する際に、前記テスト印刷による印刷済の記録媒体を前記後処理装置に搬送するか否か及び前記テスト印刷における印刷範囲を前記印刷ジョブの印刷対象を構成する全ページにするか指定ページにするかを設定する設定手段と、前記設定手段により前記テスト印刷による印刷済の記録媒体を前記後処理装置に搬送しないことが設定されている場合は、前記テスト印刷による印刷済の記録媒体を前記後処理装置に搬送しないように制御し、前記設定手段により前記テスト印刷による印刷済の記録媒体を前記後処理装置に搬送することが設定されている場合は、前記テスト印刷による印刷済の記録媒体を前記後処理装置に搬送するように制御する制御手段と、を備え、前記テスト印刷による印刷済の記録媒体を前記後処理装置に搬送しないことの設定は、前記印刷範囲に関係なく設定される状態と、前記印刷範囲が全ページに設定されていないときに設定される状態とを含み、前記テスト印刷による印刷済の記録媒体を前記後処理装置へ搬送することの設定は、前記印刷範囲に関係なく設定される状態と、前記印刷範囲が全ページに設定されているときに設定される状態とを含むことを特徴とする。
【発明の効果】
【０００９】
本発明によれば、テスト印刷による印刷済の記録媒体に対して、印刷ジョブで設定されている後処理を実行するか否かをユーザが容易に設定することができ、もって操作性を向上させることができる。
【図面の簡単な説明】
【００１０】
【図１】本発明の実施の形態に係る画像形成システムの構成を概略的に示す概念図である。
【図２】図１におけるＭＦＰの内部構成を概略的に示すブロック図である。
【図３】図１におけるＭＦＰに接続されるスタック装置の内部構成を概略的に示すブロック図である。
【図４】図２のＭＦＰの内部構成を概略的に示すブロック図である。
【図５】図４におけるＣＰＵの内部構成を概略的に示すブロック図である。
【図６Ａ】図４における表示部に表示される印刷条件設定画面を説明するために用いられる図である。
【図６Ｂ】図６Ａにおけるフィニッシング処理設定ボタンが押下されたときに表示部に表示されるフィニッシング処理設定画面を説明するために用いられる図である。
【図６Ｃ】図６Ｂにおける排紙先設定ボタンが押下されたときに表示部に表示される排紙先設定画面を説明するために用いられる図である。
【図６Ｄ】図６Ａにおけるテスト印刷設定ボタンが押下されたときに表示部に表示されるテスト印刷条件設定画面を説明するために用いられる図である。
【図７】図４における表示部に表示される許可設定画面を説明するために用いられる図である。
【図８】図１のＭＦＰから排紙された印刷済の記録媒体の行先を決定する行先決定処理の手順を示すフローチャートである。
【発明を実施するための形態】
【００１１】
以下、本発明の実施の形態について図面を参照しながら詳述する。
【００１２】
図１は、本発明の実施の形態に係る画像形成システム１００の構成を概略的に示す概念図である。
【００１３】
図１の画像形成システム１００は画像形成装置としてのＭＦＰ１０１、並びに、オプション装置として給紙オプションユニット１０２、スタック装置１０３ａ（行先仕分装置）、外部フィニッシャ１０３ｂ（後処理装置）及びフィニッシングトレイ１０４を備え、給紙オプションユニット１０２及び外部フィニッシャ１０３ｂはＭＦＰ１０１に接続され、スタック装置１０３ａはＭＦＰ１０１及び外部フィニッシャ１０３ｂの間に介在し、フィニッシングトレイ１０４は外部フィニッシャ１０３ｂに接続されている。また、ＭＦＰ１０１は外部フィニッシャ１０３ｂとは独立して制御されている。
【００１４】
給紙オプションユニット１０２はＭＦＰ１０１に対して記録媒体を供給する。ＭＦＰ１０１は給紙オプションユニット１０２から供給された記録媒体に対して画像データを印刷する。スタック装置１０３ａは、ＭＦＰ１０１において画像データが印刷された記録媒体（以下、「印刷済の記録媒体」という。）の行き先を仕分けする。外部フィニッシャ１０３ｂは、例えば、印刷済の記録媒体に後処理としてステープル処理、パンチ処理、中綴じ処理、製本処理、折り処理、又はＭＦＰ１０１から排紙された印刷済の記録媒体を受け取る受取処理等を施すステープル装置、パンチング装置、中綴じ装置、製本装置、又は折り装置等の少なくとも１つの装置から構成される。フィニッシングトレイ１０４は外部フィニッシャ１０３ｂが印刷済の記録媒体に後処理を施した後の記録媒体を受け取る。
【００１５】
図２は、図１におけるＭＦＰ１０１の内部構成を概略的に示すブロック図である。
【００１６】
図２のＭＦＰ１０１は原稿の読み取りを実行するスキャナ部２０１及び画像データを記録媒体に印刷するプリンタ部２０２を備える。スキャナ部２０１は原稿給紙トレイ２０３、光学ユニット２０４、ランプ２０５、センサ２０６、ピックアップローラ２０７、搬送ローラ２０８，２０９、原稿排紙トレイ２１０、反転ローラ２１１、プラテンガラス２１２、ミラー２１３，２１４，２１５、レンズ２１６、及びＣＣＤ（Charge Coupled Devices）イメージセンサ２１７を有する。プリンタ部２０２はレーザドライバ２１８、レーザ発光部２１９、感光ドラム２２０、現像器２２１、パス２２２〜２２８、転写部２２９、搬送ベルト２３０、定着部２３１、フラッパ２３２、及び給紙カセット２３３〜２３６を有する。
【００１７】
スキャナ部２０１が原稿を読み取るとき、まず、センサ２０６は原稿給紙トレイ２０３に原稿束が載置されているか否かを検出する。原稿給紙トレイ２０３に原稿束が載置されているとき、ランプ２０５が点灯されるとともに、原稿束を構成する各原稿がピックアップローラ２０７によってスキャナ部２０１内部に搬送される。スキャナ部２０１内部に搬送された原稿は搬送ローラ２０８，２０９を経由し、所定の位置に固定されている光学ユニット２０４に搬送される。光学ユニット２０４は搬送された原稿の表面を露光して読み取り、原稿の表面のみを読み取るときは、その後、原稿を原稿排紙トレイ２１０に排紙する。
【００１８】
スキャナ部２０１は原稿の表面を読み取った後、さらに原稿の裏面を読み取るとき、原稿を反転ローラ２１１において反転し、原稿は搬送ローラ２０９を経由して光学ユニット２０４に搬送する。その後、光学ユニット２０４は搬送された原稿を露光し、原稿の裏面を露光して読み取り、原稿を原稿排紙トレイ２１０に排紙する。
【００１９】
なお、スキャナ部２０１はプラテンガラス２１２に載置された原稿を読み取ってもよい。プラテンガラス２１２に載置された原稿は副走査方向（図２の矢印の方向）に一定速度で走査する光学ユニット２０４によって読み取られる。
【００２０】
光学ユニット２０４が原稿給紙トレイ２０３からスキャナ部２０１内部に搬送された原稿又はプラテンガラス２１２に載置された原稿を露光したとき、反射光が生じる。当該反射光はミラー２１３，２１４，２１５及びレンズ２１６を経由してＣＣＤイメージセンサ２１７に入光される。ＣＣＤイメージセンサ２１７は入光された反射光に基づいて画像データを生成し、生成された画像データに画像処理が施された新たな画像データが後述のコントローラユニット４０１に送信される。
【００２１】
プリンタ部２０２において画像データが記録媒体に印刷されるとき、まず、レーザドライバ２１８はレーザ発光部２１９を駆動し、レーザ発光部２１９は印刷対象の画像データに基づいてレーザ光を発光し、発行されたレーザ光を感光ドラム２２０に照射する。感光ドラム２２０には照射されたレーザ光に基づいて潜像が形成され、現像器２２１は形成された潜像に現像剤を塗布する。次いで、給紙カセット２３３〜２３６に格納されている記録媒体がパス２２２を経由して転写部２２９に搬送され、搬送された記録媒体の表面に感光ドラム２２０に塗布された現像剤を転写する。現像剤が転写された記録媒体は搬送ベルト２３０によって定着部２３１に搬送され、定着部２３１は記録媒体に加熱処理及び加圧処理を施す。これにより、記録媒体の表面に現像剤が定着する。記録媒体の表面のみに画像データを印刷するとき、現像剤が定着した記録媒体はパス２２３，２２４を経由してＭＦＰ１０１の外部に排紙される。
【００２２】
現像剤が定着した記録媒体の裏面にも画像データを印刷するとき、定着部２３１を通過した記録媒体はパス２２５，２２６に搬送され、パス２２６においてスイッチバックし、フラッパ２３２及びパス２２７，２２８を経由してパス２２２に搬送される。その後、記録媒体の表面に画像データを印刷したときと同様にパス２２２に搬送された記録媒体の裏面に画像データが印刷される。
【００２３】
図３は、図１におけるＭＦＰ１０１に接続されるスタック装置１０３ａの内部構成を概略的に示すブロック図である。
【００２４】
図３のスタック装置１０３ａはストレートパス３０１、エスケープパス３０２、及びスタックパス３０３を備える。また、スタック装置１０３ａはエスケープトレイ３０４及びスタックトレイ３０５を備える。ＭＦＰ１０１から搬送された印刷済の記録媒体はストレートパス３０１、エスケープパス３０２、又はスタックパス３０３を経由して後述の排紙先選択画面６２０を介して搬送先として選択されたフィニッシングトレイ１０４、エスケープトレイ３０４、又はスタックトレイ３０５に搬送される。
【００２５】
例えば、印刷済の記録媒体は、排紙先選択画面６２０を介してフィニッシングトレイ１０４が選択されたとき、ストレートパス３０１及び外部フィニッシャ１０３ｂを経由してフィニッシングトレイ１０４に搬送され、排紙先選択画面６２０を介してエスケープトレイ３０４が選択されたとき、エスケープパス３０２を経由してエスケープトレイ３０４に搬送され、排紙先選択画面６２０を介してスタックトレイ３０５が選択されたとき、スタックパス３０３を経由してスタックトレイ３０５に搬送される。なお、本実施の形態では、フィニッシングトレイ１０４に搬送される印刷済の記録媒体には外部フィニッシャ１０３ｂにおいて後処理が施されることを前提とする。
【００２６】
図４は、図２のＭＦＰ１０１の内部構成を概略的に示すブロック図である。
【００２７】
図４のＭＦＰ１０１はスキャナ部２０１及びプリンタ部２０２に加え、コントローラユニット４０１、表示部４０２、及び操作部４０３を備え、コントローラユニット４０１はＣＰＵ４０４、ＡＳＩＣ４０５、ＲＯＭ４０６、ＲＡＭ４０７、ＨＤＤ４０８、デバイス制御部Ｉ／Ｆ４０９、表示部Ｉ／Ｆ４１０、操作部Ｉ／Ｆ４１１、及びネットワークＩ／Ｆ４１２を有する。
【００２８】
ＡＳＩＣ４０５、ＲＯＭ４０６、ＲＡＭ４０７、ＨＤＤ４０８、デバイス制御部Ｉ／Ｆ４０９、表示部Ｉ／Ｆ４１０、操作部Ｉ／Ｆ４１１、及びネットワークＩ／Ｆ４１２はＣＰＵ４０４を介して互いに接続されている。また、デバイス制御部Ｉ／Ｆ４０９はスタック装置１０３ａ、スキャナ部２０１、及びプリンタ部２０２とＣＰＵ４０４とを接続し、表示部Ｉ／Ｆ４１０は表示部４０２とＣＰＵ４０４とを接続し、操作部Ｉ／Ｆ４１１は操作部４０３とＣＰＵ４０４とを接続し、ネットワークＩ／Ｆ４１２はネットワークケーブル４１３を介してＬＡＮ／ＷＡＮ４１４とコントローラユニット４０１とを接続する。ＬＡＮ／ＷＡＮ４１４には外部装置、例えば、ＰＣ（不図示）が接続されている。
【００２９】
表示部４０２はＬＥＤ（Light Emitting Diode）ディスプレイや液晶ディスプレイであり、ＭＦＰ１０１への指示を受け付けるための画面やＭＦＰ１０１のステータス情報を表示する。操作部４０３はユーザからの操作指示を受け付ける。ＣＰＵ４０４はＭＦＰ１０１の各構成要素を制御する。ＡＳＩＣ４０５は特定の処理、例えば、画像処理を実行するＭＦＰ１０１の各構成要素を制御する。ＲＯＭ４０６は不揮発性メモリであり、各種制御プログラムを格納する。ＲＡＭ４０７は揮発性メモリであり、ＣＰＵ４０４のワーキングメモリである。ＲＯＭ４０６に格納されているプログラムが実行されるとき、当該プログラムはＲＡＭ４０７に展開される。ＨＤＤ４０８は磁気ディスク等の記憶媒体であり、印刷ジョブや印刷対象の画像データ等を格納する。
【００３０】
図５は、図４におけるＣＰＵ４０４の内部構成を概略的に示すブロック図である。
【００３１】
図５のＣＰＵ４０４はジョブ制御部５０１、画像処理部５０２、プリンタ制御部５０３、スキャナ制御部５０４、搬送制御部５０５（制御手段）、表示制御部５０６、ユーザ操作解釈部５０７、及びネットワークプロトコル処理部５０８を備え、画像処理部５０２、プリンタ制御部５０３、スキャナ制御部５０４、搬送制御部５０５、表示制御部５０６、ユーザ操作解釈部５０７、及びネットワークプロトコル処理部５０８はジョブ制御部５０１を介して互いに接続されている。
【００３２】
ジョブ制御部５０１は操作部４０３又はＬＡＮ／ＷＡＮ４１４に接続されている外部装置から受信された各種ジョブを実行するためにＭＦＰ１０１の各構成要素を制御する。画像処理部５０２はＡＳＩＣ４０５によって制御され、スキャナ部２０１が読み取った原稿の画像データやＬＡＮ／ＷＡＮ４１４に接続されている外部装置から受信されたＰＤＬ（Page Description Language）データに対応する画像データに対して伸長圧縮や回転等の画像処理を施す。プリンタ制御部５０３（テスト印刷実行手段）はプリンタ部２０２を制御して、例えば、テスト印刷を実行する。スキャナ制御部５０４はスキャナ部２０１を制御する。搬送制御部５０５は、印刷済の記録媒体をフィニッシングトレイ１０４、エスケープトレイ３０４、及びスタックトレイ３０５のいずれに搬送するかを制御する。また、搬送制御部５０５は、印刷済の記録媒体をフィニッシングトレイ１０４に搬送する際、その旨をスタック装置１０３ａに送信する。
【００３３】
表示制御部５０６は表示部４０２を制御する。ユーザ操作解釈部５０７は操作部４０３を介して受け付けた操作指示に基づいてジョブ制御部５０１に、例えば、実行中のジョブの中断や中断中のジョブの再開等を指示する。ネットワークプロトコル処理部５０８は、例えば、ＴＣＰ／ＩＰ（Transmission Control Protocol／Internet Protocol）を含む標準ネットワークプロトコルに基づいてＬＡＮ／ＷＡＮ４１４に接続されている外部装置と各種データを送受信する。
【００３４】
図６Ａは、図４における表示部４０２に表示される印刷条件設定画面６００を説明するために用いられる図である。印刷条件設定画面６００は、例えば、原稿をコピーするときに表示部４０２に表示される。
【００３５】
印刷条件設定画面６００は印刷部数表示欄６０１を備える。印刷部数表示欄６０１は、例えば、原稿をコピーするときのコピー部数を表示する。また、印刷条件設定画面６００はフィニッシング処理設定ボタン６０２、両面印刷設定ボタン６０３、及びテスト印刷設定ボタン６０４を備える。
【００３６】
フィニッシング処理設定ボタン６０２が押下されると、表示部４０２にフィニッシング処理設定画面６１０（図６Ｂ）が表示される。フィニッシング処理設定画面６１０はソート印刷ボタン６１１、グループ印刷ボタン６１２、排紙先選択ボタン６１３、パンチング設定ボタン６１８、及び折り処理設定ボタン６１９を備える。ソート印刷ボタン６１１及びグループ印刷ボタン６１２はいずれか一方が選択され、ソート印刷ボタン６１１が選択されると、印刷データを部単位で複数部数印刷するソート印刷が実行され、グループ印刷ボタン６１２が選択されると、印刷データをページ単位で複数部数印刷するグループ印刷が実行される。
【００３７】
排紙先選択ボタン６１３が押下されると、表示部４０２に印刷済の記録媒体の排紙先を選択する排紙先選択画面６２０（図６Ｃ）が表示される。排紙先選択画面６２０はフィニッシングトレイボタン６２１、スタックトレイ６２２、及びエスケープトレイ６２３を備え、いずれか１つのボタンが選択される。フィニッシングトレイボタン６２１が選択されると、印刷済の記録媒体はフィニッシングトレイ１０４に排紙され、スタックトレイ６２２が選択されると、印刷済の記録媒体はスタックトレイ３０５に排紙され、エスケープトレイ６２３が選択されると、印刷済の記録媒体はエスケープトレイ３０４に排紙される。
【００３８】
図６Ｂに戻り、パンチング設定ボタン６１８が押下されると、外部フィニッシャ１０３ｂにおいて印刷済の記録媒体に対してパンチ処理を施す際の条件、例えば、パンチ穴の位置やパンチ穴の数に関する条件が設定され、折り処理設定ボタン６１９が押下されると、外部フィニッシャ１０３ｂにおいて印刷済の記録媒体に対して折り処理を施す際の条件、例えば、Ｚ折りや内三折り等の折り方や折り目の位置に関する条件が設定される。
【００３９】
図６Ａに戻り、両面印刷設定ボタン６０３が押下されると、記録媒体の表面にのみ画像データを印刷するか、又は記録媒体の表面と裏面の両面に画像データを印刷するかが設定される。テスト印刷設定ボタン６０４が押下されると、表示部４０２にテスト印刷条件を設定するためのテスト印刷条件設定画面６３０（図６Ｄ）が表示される。テスト印刷条件設定画面６３０は全ページボタン６３１及び指定ページボタン６３２を備える。全ページボタン６３１及び指定ページボタン６３２のいずれか一方が選択されているとき、テスト印刷が実行される。全ページボタン６３１が選択されると、印刷対象を構成する全てのページ（印刷対象の全部）が印刷され、指定ページボタン６３２が選択されると、印刷対象を構成するページのうちユーザが指定したページ（印刷対象の一部）が印刷される。
【００４０】
図７は、図４における表示部４０２に表示される許可設定画面７００を説明するために用いられる図である。許可設定画面７００は、図６Ｃにおけるフィニッシングトレイボタン６２１が選択され且つテスト印刷が実行されるときに表示部４０２に表示される。
【００４１】
許可設定画面７００は許可ボタン７０１及び禁止ボタン７０２を有し、いずれか１つのボタンが選択される。許可ボタン７０１が選択されたとき、チェックボックス７０３へのチェックマークの入力が可能になる。
【００４２】
許可ボタン７０１が選択され且つチェックボックス７０３にチェックマークが入力されていない場合、テスト印刷の印刷結果物は外部フィニッシャ１０３ｂに接続されたフィニッシングトレイ１０４に排紙される。許可ボタン７０１が選択され且つチェックボックス７０３にチェックマークが入力されている場合、テスト印刷の印刷対象を構成する全てのページが印刷されるとき、具体的に、テスト印刷条件設定画面６３０における全ページボタン６３１が選択されているときのみ、テスト印刷の印刷結果物はフィニッシングトレイ１０４に排紙される一方、テスト印刷の印刷対象を構成する全てのページが印刷されないとき、具体的に、テスト印刷条件設定画面６３０における指定ページボタン６３２が選択されているとき、テスト印刷の印刷結果物はフィニッシングトレイ１０４に排紙されない。
【００４３】
また、禁止ボタン７０２が選択されているとき、いかなるテスト印刷の印刷結果物もフィニッシングトレイ１０４に排紙されない。なお、本実施の形態では、上述したように許可ボタン７０１が選択されているにも関わらず、テスト印刷の印刷結果物がフィニッシングトレイ１０４に排紙されないとき、又は禁止ボタン７０２が選択されているとき、テスト印刷の印刷結果物はエスケープトレイ３０４に排紙される。
【００４４】
図８は、図１のＭＦＰ１０１から排紙された印刷済の記録媒体の行先を決定する行先決定処理の手順を示すフローチャートである。図８の処理はＣＰＵ４０４によって実行される。
【００４５】
図８において、まず、排紙先選択画面６２０におけるフィニッシングトレイボタン６２１が選択されているか否かを判別する（ステップＳ８０１）。ステップＳ８０１の判別の結果、フィニッシングトレイボタン６２１が選択されていないとき、フィニッシングトレイ１０４以外の排紙トレイ、例えば、スタックトレイ３０５に印刷済の記録媒体を排紙して（ステップＳ８０２）本処理を終了し、フィニッシングトレイボタン６２１が選択されているとき、テスト印刷条件設定画面６３０における全ページボタン６３１及び指定ページボタン６３２のいずれか一方が選択されてテスト印刷が実行されることが設定されているか否かを判別する（ステップＳ８０３）。
【００４６】
ステップＳ８０３の判別の結果、テスト印刷が実行されることが設定されていないとき、フィニッシングトレイ１０４に印刷済の記録媒体を排紙して（ステップＳ８０４）本処理を終了し、テスト印刷が実行されることが設定されているとき、許可設定画面７００において許可ボタン７０１が選択されているか否かを判別する（ステップＳ８０５）。ステップＳ８０５の判別の結果、許可設定画面７００において禁止ボタン７０２が選択されているとき、エスケープトレイ３０４に印刷済の記録媒体を排紙して（ステップＳ８０６）本処理を終了し、許可設定画面７００において許可ボタン７０１が選択されているとき、許可設定画面７００においてチェックボックス７０３にチェックマークが入力されているか否かを判別する（ステップＳ８０７）。
【００４７】
ステップＳ８０７の判別の結果、許可設定画面７００においてチェックボックス７０３にチェックマークが入力されていないとき、ステップＳ８０４に進み、許可設定画面７００においてチェックボックス７０３にチェックマークが入力されているとき、テスト印刷条件設定画面６３０における全ページボタン６３１が選択されているか否かを判別する（ステップＳ８０８）。ステップＳ８０８の判別の結果、全ページボタン６３１が選択されているとき、ステップＳ８０４に進み、全ページボタン６３１が選択されずに指定ページボタン６３２が選択されているとき、ステップＳ８０６に進む。
【００４８】
図８の処理によれば、テスト印刷が実行され（ステップＳ８０３でＹＥＳ）且つ許可設定画面７００において禁止ボタン７０２が選択されている（ステップＳ８０５でＮＯ）とき、エスケープトレイ３０４に印刷済の記録媒体が排紙される（ステップＳ８０６）ので、印刷済の記録媒体がテスト印刷の印刷結果物である場合にユーザは外部フィニッシャ１０３ｂが印刷済の記録媒体に対して後処理を施す前に印刷済の記録媒体を確認することができ、もって、ユーザがテスト印刷の結果を迅速に確認することができる。
【００４９】
また、テスト印刷が実行されることが設定されているときであって、全ページボタン６３１が選択されずに指定ページボタン６３２が選択されているとき（ステップＳ８０８でＮＯ）、エスケープトレイ３０４に印刷済の記録媒体が排紙され（ステップＳ８０６）、テスト印刷が実行されることが設定されているときであって、全ページボタン６３１が選択されているとき（ステップＳ８０８でＹＥＳ）、フィニッシングトレイ１０４に印刷済の記録媒体が排紙される（ステップＳ８０４）。これにより、ユーザがテスト印刷において印刷対象を構成する全てのページの印刷を求めない場合、すなわち、ユーザがテスト印刷の結果を迅速に確認したい場合、ユーザはテスト印刷の結果を迅速に確認することができる。一方、ユーザがテスト印刷において印刷対象を構成する全てのページの印刷を求める場合、多ページからなる印刷済の記録媒体が得られるが、当該印刷済の記録媒体に後処理、例えば、ステープル処理が施されるため、当該印刷済の記録媒体の取り扱いを容易にすることができる。
【００５０】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００５１】
１０１  ＭＦＰ
１０３ａ  スタック装置
１０３ｂ  外部フィニッシャ
１０４  フィニッシングトレイ
３０４  エスケープトレイ
４０４  ＣＰＵ
【図１】
0006544969.tif 000002
【図２】
0006544969.tif 000003
【図３】
0006544969.tif 000004
【図４】
0006544969.tif 000005
【図５】
0006544969.tif 000006
【図６Ａ】
0006544969.tif 000007
【図６Ｂ】
0006544969.tif 000008
【図６Ｃ】
0006544969.tif 000009
【図６Ｄ】
0006544969.tif 000010
【図７】
0006544969.tif 000011
【図８】
0006544969.tif 000012